(57)【要約】【課題】規則的な模様の中に、ある程度不規則な模様が含まれているといういわゆる乱尺な模様を表現する縫着構造体並びにこの縫着構造体を備える被服及び布製身の回り品を提供する。【解決手段】縫着構造体１０は基布２３の一部を曲げてループ状にしたループ部２４とループ部２４の一端側２１から他端側２２へループ部２４の表面側を覆うようにし、且つ、ループ部２４の長手方向に移動しつつ複数回往復させた撚糸４０と撚糸４０を基布２３に係止する係止糸５１、５２とからなり、撚糸４０は、仮撚加工糸４１、４２を撚り合せる。また、被服及び布製身の回り品は縫着構造体１０を備える。【選択図】  図１
0003117205.tif 000002
【実用新案登録請求の範囲】
【請求項１】
基布の一部を曲げてループ状にしたループ部と、該ループ部の一端側から他端側へ該ループ部の表面側を覆うようにし、且つ、該ループ部の長手方向に移動しつつ複数回往復させた撚糸と、該撚糸を該ループ部に係止する係止糸と、からなり、該撚糸は、長繊維の化学繊維を、加撚、熱固定及び解撚した複数の加工糸を撚り合せたものであることを特徴とする縫着構造体。
【請求項２】
上記複数の加工糸のうちの少なくとも１本の色が、基布の色と補色関係にある請求項１に記載の縫着構造体。
【請求項３】
上記複数の加工糸のうちの少なくとも２本の色が、補色関係にある請求項１又は２に記載の縫着構造体。
【請求項４】
上記加工糸の数が、２〜６である請求項１乃至３のうちのいずれか１項に記載の縫着構造体。
【請求項５】
上記加工糸の数が、２又は３である請求項４に記載の縫着構造体。
【請求項６】
上記撚糸は、１メートルにつき２本の加工糸を２０回〜６０回撚り合わせたものである請求項１乃至５のうちのいずれか１項に記載の縫着構造体。
【請求項７】
上記加工糸の材質は、ポリエステル及び／又はナイロンである請求項１乃至６のうちのいずれか１項に記載の縫着構造体。
【請求項８】
上記請求項１乃至７のうちのいずれか１項に記載の縫着構造体を備えることを特徴とする被服。
【請求項９】
上記被服が、ショール、スカーフ、ティーシャツ、ブラウス又は社交ダンス用衣装である請求項８に記載の被服。
【請求項１０】
上記請求項１乃至７のうちのいずれか１項に記載の縫着構造体を備えることを特徴とする布製身の回り品。
【請求項１１】
上記布製身の回り品が、ハンカチ、タオル、ふくさ又はふろしきである請求項１０に記載の布製身の回り品。
【考案の詳細な説明】
【技術分野】
【０００１】  本考案は、縫着構造体並びにこの縫着構造体を備える被服及び布製身の回り品に関する。更に詳しくは、基布のループ部に乱尺な模様を形成する縫着構造体並びにこの縫着構造体を備える被服及び布製身の回り品に関する。
【背景技術】
【０００２】  被服又は布製身の回り品（以下「被服等」という。）の製作に際しては、被服等の袖、裾又は衿等の端縁部のほつれを防ぐ必要があり、そのために、通常、この端縁部を内側に折り曲げてかがる端処理をする方法が一般的である。
また、別の方法では、端縁部を裏面に巻き込んで細かくかがる、いわゆる巻きロックという処理方法がある。後者の方法によれば、端縁部を丈夫且つ美しく仕上げる事ができる。
さらに、基布と異なる色で巻きロックを施すことにより、被服の裾端等を、基布に対して際立たせることができる。
さらにまた、複数の色の異なる糸を撚って、巻きロックを施せば、端縁部に規則的な模様を付すことができ、被服等について、その端縁部の処理と同時に意匠的効果を高めることができる。
ここで、２種類の繊維を撚り合わせた複合糸及びそれを用いた布帛が知られている（例えば特許文献１）。この複合糸は、材質の異なる２種の繊維を撚り合わせることにより製造され、発色性、染色性等において優れている。【０００３】
【特許文献１】  特開２００１−３４８７４４号公報
【考案の開示】
【考案が解決しようとする課題】
【０００４】  しかし、規則的な模様は美しいながらも単調で飽きやすいという面があるのも否めない。
一方、規則的な模様の中に、ある程度不規則な模様が含まれていれば、変化に富み、リズミカルであり、被服等を看る者を楽しませることができる。
上述の通り、通常の異色の複数の縫製糸を撚って縫着したのでは、撚った糸が重なり合い難く、順々に逢着されていくため結局規則的な模様となり、不規則な模様を出すことが困難である。また、単色の糸で縫着した後、その上からさらに別の色の糸で逢着するのは、糸の上に更に別の糸が重なり、まだらな模様が出来上がるのみで乱雑なだけとなる。
なお、上記文献１の複合糸は、２種類の極細繊維を合撚、加熱することにより製造されたものであり、２種類の糸を模様として肉眼で見分ける程度の作用をするものではない。
今後被服等の業界においては、ますますデザインの重要性が増し、被服等について、多種多様の変化に富んだ模様を付したいという要請が高まるものと予想される。【０００５】  本考案は、上記実情に鑑みてなされたものであって、規則的な模様の中にある程度不規則な模様が含まれているといういわゆる乱尺な模様を表現する縫着構造体並びにこの縫着構造体を備える被服及び布製身の回り品を提供することを目的とする。
【課題を解決するための手段】
【０００６】  本考案は以下の通りである。
１．基布の一部を曲げてループ状にしたループ部と、該ループ部の一端側から他端側へ該ループ部の表面側を覆うようにし、且つ、該ループ部の長手方向に移動しつつ複数回往復させた撚糸と、該撚糸を該ループ部に係止する係止糸と、からなり、該撚糸は、長繊維の化学繊維を、加撚、熱固定及び解撚した加工糸（以下「仮撚加工糸」ともいう。）を複数撚り合せたものであることを特徴とする縫着構造体。
２．上記複数の加工糸のうちの少なくとも１本の色が、基布の色と補色関係にある上記１．に記載の縫着構造体。
３．上記複数の加工糸のうちの少なくとも２本の色が補色関係にある上記１．又は２．に記載の縫着構造体。
４．上記加工糸の数が、２〜６である上記１．乃至３．のうちのいずれかに記載の縫着構造体。
５．上記加工糸の数が、２又は３である上記４．に記載の縫着構造体。
６．上記撚糸は、１メートルにつき２本の加工糸を２０回〜６０回撚り合わせたものである上記１．乃至５．のうちのいずれかに記載の縫着構造体。
７．上記加工糸の材質は、ポリエステル及び／又はナイロンである上記１．乃至６．のうちのいずれかに記載の縫着構造体。
８．上記１．乃至７．のうちのいずれかに記載の縫着構造体を備えることを特徴とする被服。
９．上記被服が、ショール、スカーフ、ティーシャツ、ブラウス又は社交ダンス用衣装である上記８．に記載の被服。
１０．上記１．乃至７．のうちのいずれかに記載の縫着構造体を備えることを特徴とする布製身の回り品。
１１．上記布製身の回り品が、ハンカチ、タオル、ふくさ又は、ふろしきである上記１０．に記載の布製身の回り品。
【考案の効果】
【０００７】  本考案の縫着構造体に係る撚糸は、異色の２以上の仮撚加工糸を撚り合わせたものであるため、この撚糸を、基布のループ部の一端側から他端側へループ部の表面側を覆うように往復させて連続して縫着していくと、撚り合わせられた糸が基布平面に対して平行に横並びに１本ずつ交互に模様として縫い込まれていく部分もあるが、撚り合せた糸同士が基布平面に対して上下に重なる場合も生ずる。
この上下に重なる部分が連続することによって一色の糸のみが上になる場合が連続すると、この上になった糸のみの色が基布表面上の連続した一色として模様に関与する。そうすると、この上下に重なる部分が生ずる頻度は特に制限されることなくランダムに現れるため、模様としては規則的に同一模様を反復する部分と、反復しない部分とが生じ全体として乱尺模様を形成することになる。
この横並びと、上下の重なりとは、必ずしも明確に区別されるものでなくその中間のものもありうる。すなわち仮撚加工糸は細かい繊維が複雑にからみあって形成されているため、撚り合わせた隣り合う糸との境界が必ずしも明確でない場合も生ずるのがその原因である。
さらに、上下に重なっている場合であっても、上の糸がまばらとなって下の糸が透けて見えるいわゆる霜降り状の模様となる場合も生ずる。
すなわち、仮撚加工糸を撚り合わせて模様を形成していけば通常の縫製糸によっては得られない変化に富んだ模様を醸し出すことができる。【０００８】  また、上記複数の仮撚加工糸のうちの少なくとも１本の色が、基布の色と補色関係にあれば模様を基布に対して一段と際立たせることができ美しい模様となる。
さらに、上記複数の仮撚加工糸の少なくとも２本の色が補色関係にある場合も一段と際立った美しい模様となる。
また、上記複数は、２〜６である場合は、美しい乱尺模様を出すことができる。
さらに、仮撚加工糸の数が２又は３である場合はさらに美しい乱尺模様を出すことができる。特に、仮撚加工糸の数が２である場合は、特に美しい乱尺模様を出すことができる。
また、上記撚糸は、１メートルにつき２本の仮撚加工糸を２０回乃至６０回撚り合わせたものであることが好ましく、こうであれば美しい乱尺模様を出すことができる。
上記仮撚加工糸の材質は、ポリエステル及び／又はナイロンであることが好ましく、これらの材質であれば、美しい乱尺模様を出すことができる。【０００９】  また、本考案の縫着構造体は、被服又は布製身の回り品に用いることが好ましく、こうであればこの縫着構造体の商品としての利用価値を高めることができる。
さらに、被服としては、ショール、スカーフ、ティーシャツ、ブラウス、又は社交ダンス用衣装、布製身の回り品としては、ハンカチ、タオル、ふくさ又は、ふろしきであることが更に好ましく、こうであれば、更に商品としての利用価値を高めることができる。
【考案を実施するための最良の形態】
【００１０】  以下、本考案の縫着構造体を図１乃至図５を用いて詳しく説明する。
ここで、本考案に係る「仮撚加工糸」とは長繊維の化学繊維に加撚後、熱固定をし、さらに解撚の加工を施し製造される。仮撚加工糸は、バネのような伸縮性、毛糸のような嵩高性、保温性、吸湿性を有するという特長があり、通称「ウーリー糸」と呼ばれる。仮撚加工糸の材質は、ポリエステル、ナイロンのうちの少なくとも１種であり、２種を用いてもよい。好ましくは、ポリエステルである。また、撚糸４０を構成する仮撚加工糸４１、４２の色は互いに異なる色であれば特に制限はない。
図３に示すように、この撚糸４０は、色の異なる仮撚加工糸４１、４２を１メートルあたり略４０回撚り合わせたものを用いる。【００１１】  図１に示すように縫着構造体１０は、基布２３の端を他端側２２へ巻き込んでループ部２４を形成し、撚糸４０を縫着することにより乱尺模様１１を形成する。
その縫着の構造の一態様を図５により説明する。図５（ａ）は、基布２３の一端側２１のループ部２４近傍、図５（ｂ）は、基布２３の他端側２２のループ部２４近傍を示している。
ここで、「ループ部」とは図１に示すように、基布２３の平面の曲がり始めから曲がり終わりまでをいう。
基布２３の他端側２２において、図５（ｂ）に示すように、撚糸４０は、まずループ部２４を巻き込むように（Ａ）から矢印に沿ってループ部２４に当接しつつループ部２４の頂部２５である（Ｂ）へ上昇する。（Ｂ）からは図５（ａ）に示すように、ループ部２４に当接しつつ、基布２３の一端側２１を矢印に沿って下降する。撚糸４０はループ部２４を下降しきった後再び上昇し、ループ部２４に沿って（Ｃ）へ向かう。（Ｃ）から図５（ｂ）に示す他端側２２において、ループ部２４を下降し、その後再び上昇して（Ｄ）へ向かう。以後この繰り返しにより（Ｅ）、（Ｆ）へと続き、ループ部２４が撚糸４０によって全て覆われる。そして図５（ａ）に示すように、一端側２１においては第１係止糸５１によって撚糸４０を１組ずつ固定する。一方、図５（ｂ）に示すように、他端側２２においては、第２係止糸５２によって撚糸４０を１組ずつ固定する。そして、さらに第２係止糸５２は、第１係止糸５１によって固定される。即ち、第１係止糸５１は一端側２１で撚糸４０の固定、他端側２２で第２係止糸５２の固定を交互に繰り返す。【００１２】  図３に示すように縫着構造体１０は、色の異なる２本の仮撚加工糸４１、４２を撚り合わせた撚糸４０であるため、連続して縫着していくと、図１に示すように仮撚加工糸４１、４２がループ部２４の表面に対して平行に横並びに一本ずつ交互に模様として縫い込まれる場合もあるが、撚り合せた仮撚加工糸４１、４２同士が基布２３の表面に対して上下に重なる場合も生ずる。この上下に重なる部分が連続することによって一色の糸のみが上になる場合が連続すると、この上になった糸のみの色が基布表面上の連続した一色として模様に関与する。そうすると、この上下に重なる部分が生ずる頻度は特に制限されることなくランダムに現れ不規則な模様１３が現れる。
このため、図１に示すように模様としては規則的な模様１２と、不規則な模様１３とが生じ全体として乱尺模様１１を形成することになる。
図２は規則的な模様１２のみからなる縫着構造体を示す。【００１３】  図４を用いて模式的に説明すると、（ａ）に示すように、２本の仮撚加工糸４１、４２が交互に平行に横並びに縫い込まれていき、上下に重なることがない場合には、仮撚加工糸４１又４２のいずれか一方が２本連続することはあっても、３本以上連続することはない。このため、規則的な模様となって現れる。仮撚加工糸でなく、通常の縫製糸であれば、異なる色の２本の糸によって、縫い込んでいけば上下に２本の糸が重なることなく横並びに縫い込まれていくため、（ａ）に示す規則的な模様のみが現れる場合が多い。
しかし、仮撚加工糸の場合は、毛糸のような嵩高性を有しているため２本の仮撚加工糸が絡み合い、（ｂ）に示すように一方の仮撚加工糸４２が他方の仮撚加工糸４１の上に部分的に覆いかぶさる場合が生ずる。そのため、表面から見ると仮撚加工糸４２の色が幅広く観察されるのである。さらに、（ｃ）に示すように一方の仮撚加工糸４２が他方の仮撚加工糸４１に完全に覆いかぶさる場合も生ずる。この場合は、表面から見ると仮撚加工糸４２の色のみが広範囲に観察されることになる。また、（ｂ）、（ｃ）のような場合であっても、仮撚加工糸４２がまばらとなって仮撚加工糸４１が透けて見えるいわゆる霜降り状の模様となる場合も生ずる。
図１に示すように、規則的な模様１２の中に不規則な模様１３を含んだ乱尺模様１１であれば、模様が変化に富み、リズミカルであり、看る者を楽しませることができる。【００１４】  仮撚加工糸４１又は４２のうちのいずれかの色が基布の色と補色関係にあれば、基布に対して一段と際立った模様となる。例えば、赤色の基布に対して仮撚加工糸の一方を青緑色にした場合、黄色の基布に対して仮撚加工糸の一方を青紫色にした場合は、基布に対して一段と際立った美しい模様となる。また、仮撚加工糸４１、４２が互いに補色関係にある場合も一段と際立った美しい模様となる【００１５】  図６のハンカチ６０はその端全周にわたって、縫着構造体６１を備えている。この縫着構造体６１は、前記縫着構造体１０とその構成は同様であり、その説明は省略する。
前記縫着構造体１０と異なる作用効果は以下の通りである。
ハンカチ６０の構成であれば、ハンカチの縁のほつれを防止すると同時に、縫着構造体６１の乱尺模様により、変化に富み、リズミカルなデザインを有するハンカチとなる。また、縫着構造体６１は上記の仮撚加工糸を素材としているため、使用に際しては、ソフトな肌触りであると共に、滑りにくい。そのため、ポケット或いはバッグ等から滑り落ちるのを防ぐことができる。又吸水性にも優れているため、汗を拭ったり、水でぬれても端部が乾きやすく気持ちよく使用することができる。
なお、ハンカチ以外にも、タオル、ふくさ、ふろしき等にも利用可能である。【００１６】  図７において、（ａ）に示すブラウス８０は、衿８２に取り付けたフリル８３の縁に、縫着構造体８１を備えている。縫着構造体８１は、縫着構造体１０とその構成は同様であり、その説明は省略する。
前記縫着構造体１０と異なる作用効果は以下の通りである。縫着構造体８１をフリルに用いることにより、縫着構造体８１を構成する１本の仮撚加工糸の色をフリル８３の色と補色関係或いは、仮撚加工糸の２本の色が補色関係にある場合の他、例えば、１本の仮撚加工糸の色と、ブラウス８０の基布８４の色とを補色関係にあるものとすることもでき、デザインのバリエーションが広がる。また、フリル８３は、衿８２にボタン等で着脱可能であれば、種々の色のブラウス８０に対して種々の色の異なる縫着構造体８１を備えるフリルを組合せることにより、その組合せを楽しむことができる。（ｂ）に示すブラウス８５はフリル８６が衿としての機能も有しており、その端に縫着構造体８１を備えている。フリル部分が大きいため、縫着構造体８１の模様も一段と際立ち、縫着構造体８１はブラウス全体のデザインの中心的役割を果たすことができる。なお、縫着構造体８１の色とブラウス８５の基布８７の色と組合せによりデザインのバリエーションが広がる点、フリル８６をブラウス８５に着脱可能とすることもできる点は（ａ）と同様である。
なお、フリル以外にもスカーフ、ショール、ネクタイ等に使用可能である。スカーフ又はショールに用いれば上記の特徴のほか結んだ時に解けにくいという利点もある。【００１７】  図８のティーシャッ７０は、衿７２、袖７３、ポケット７４及び裾７５に縫着構造体７１を備えている。縫着構造体７１は、上記縫着構造体１０とその構成は同様であり、その説明は省略する。前記縫着構造体１０と異なる作用効果としては前記ブラウス８０と同様の作用効果が挙げられる。
さらに、衿７２又は袖７３は直接肌に触れる部分でもあり、縫着構造体７１をこれらの部分に備えていれば肌触りがよく、吸湿性にも優れているため着心地がよい。なお、縫着構造体７１は衿７２、袖７３、ポケット７４及び裾７５のすべての箇所に備えている必要はなく、１箇所のみ、又は２箇所以上に備えるものであってもよい。なお、ティーシャツ以外にもポロシャツ、ワイシャツ、ワンピース、ツーピース、ブラウス、エプロン等にも応用可能である。【００１８】  図９の社交ダンス用衣装９０は、カフス９２、衿９３、裾９４及び衣装前面９５に縫着構造体９１を備えている。縫着構造体７１は、上記縫着構造体１０とその構成は同様であり、その説明は省略する。前記縫着構造体１０と異なる作用効果としては前記ブラウス８０と同様の作用効果があり、さらにそれ以外の効果としては以下の点が挙げられる。
社交ダンスにおいてはダンスを引き立てるため煌びやかな衣装が用いられる。社交ダンス用衣装９０の衣装本体９５は特に目を引く部分であるため、縫着構造体９１の模様を備えることにより、一段と輝かしい衣装となる。縫着構造体９１として金色、銀色等の鮮やかな色の仮撚加工糸からなる撚糸を用いることもできる。また、裾９４は社交ダンスの足の動きに合わせて大きく動き、目を引く部分であるため縫着構造体９１を備えることにより、ダンスを引き立てることになる。裾９４の裏側もダンスの動きによって見える部分となるため、その端部に縫着構造体９１を用いることにより美しい裾を見せることができる。さらに本考案に係る縫着構造体９１を用いることにより、タイツに裾９４が纏わりつきにくくなるという利点もある。なお、縫着構造体９１はカフス９２、衿９３、裾９４及び衣装前面９５のすべての箇所に備えている必要はなく、１箇所のみ、又は２箇所以上に備えるものであってもよい。
【図面の簡単な説明】
【００１９】
【図１】  基布と基布に縫着された乱尺模様を含む縫着構造体の模式的な斜視図である。
【図２】  基布と基布に縫着された規則的な模様からなる縫着構造体の模式的な斜視図である。
【図３】  ２本の仮撚加工糸からなる撚糸の模式的な斜視図である。
【図４】  ２本の仮撚加工糸が１本ずつ規則的に並ぶ場合（ａ）、１本が他の１本の上に部分的に覆いかぶさる場合（ｂ）、１本が他の１本に完全に覆いかぶさる場合（ｃ）を示す模式図である。
【図５】  縫着構造体の一端側の構造（ａ）及び他端側の構造（ｂ）を示す模式図である。
【図６】  縫着構造体を備えたハンカチの模式的な斜視図である。
【図７】  縫着構造体をフリルに備えたブラウスの模式的な斜視図である。
【図８】  縫着構造体を備えたティーシャツの模式的な斜視図である。
【図９】  縫着構造体を備えた社交ダンス用衣装の模式的な斜視図である。
【符号の説明】
【００２０】  ２３、８４、８７；基布、２４；ループ部、２１；一端側、２２；他端側、４０；撚糸、１０、６１、７１、８１、９１；縫着構造体、４１、４２；仮撚加工糸、６０；ハンカチ、７０；ティーシャツ、８０、８５；ブラウス、８３、８６；フリル、９０；社交ダンス用衣装、１１；乱尺模様
【図１】
0003117205.tif 000003
【図２】
0003117205.tif 000004
【図３】
0003117205.tif 000005
【図４】
0003117205.tif 000006
【図５】
0003117205.tif 000007
【図６】
0003117205.tif 000008
【図７】
0003117205.tif 000009
【図８】
0003117205.tif 000010
【図９】
0003117205.tif 000011